(57)【要約】　　　（修正有）【課題】精密機器を設置した室内における火災の発生の前後の状態に亘って、そのときの状態に応じて火災の予防と火災を過不足なく適切に行う。【解決手段】室内の火災警戒区域に設けられている火災感知器の出力信号によって、その区域に向けて設けられている散水装置から散水する火災処理方法において、該火災感知器の出力信号を火災発生の前後の状態に亘る、火災の進行程度に応じて少なくとも２段階に判別して散水装置に送り、該散水装置からの散水の粒径を前記火災の進行程度に比例してフオグ状態の粒径から雨滴状態の粒径に亘る粒径に変化して散水することを特徴とする火災の処理方法。【選択図】　図１
2004089692.tif 000002
【特許請求の範囲】
【請求項１】
室内の火災警戒区域に設置する火災感知器と散水装置を連動可能に接続した火災処理装置において、
散水粒径を大きくしたノズルを多段階に備えたことを特徴とする火災処理装置。
【請求項２】
室内の火災警戒区域に設置する火災感知器と散水装置を連動可能に接続した火災処理装置において、
前記散水装置を、小粒径の噴霧を放出するノズルと、中粒径の噴霧を放出するノズルで構成したことを特徴とする火災処理装置。
【請求項３】
大粒径の水滴を放出するノズルを備えたことを特徴とする請求項２記載の火災処置装置。
【請求項４】
室内の火災警戒区域に設置する火災感知器と散水装置を連動可能に接続した火災処理装置において、
前記散水装置を、フォグ状態で散水するフオグノズルと、該フォグノズルより大粒径で散水するスプリンクラヘッドで構成したことを特徴とする火災処置装置。
【請求項５】
前記散水装置は、前記フォグノズルからフォグ状態の水を散水し、それから前記スプリンクラヘッドにより雨滴状態で散水することを特徴とする請求項４記載の火災処理装置。
【請求項６】
室内の火災警戒区域に設置する火災感知器と散水装置を連動可能に接続した火災処理装置において、該火災感知器とフオグ状態の粒径及び雨滴状態の水を散水する手段を具備せる散水装置の間に、火災発生前の警戒状態からその発生後の状態に亘る火災の進行程度を判別して、それに対応する出力手段を具備した防災制御盤を接続することを特徴とする火災処理装置。
【請求項７】
散水装置がフオグ状態の粒径からスプレー状態の粒径に亙って調整する調整手段を具備することを特徴とする請求項６記載の火災処理装置。
【発明の詳細な説明】
【０００１】
【発明の属する技術分野】
この発明は電子計算機等の精密な各種機器及び装置等を設置してある室内の火災の発生前後の状態に亙って対応できる火災処理装置である。
さらに述べれば、未だ火災は発生しないが該室内の温度又は煙が平常値を超過して、火災が発生し易い状態、即ち警戒状態になったときから、実際に火災が発生した後までの間に対応する火災処理装置に関する。
【０００２】
【従来の技術】
従来この種の室内で発生した火災の消火方法及びその装置はその室内に設けられている火災感知器で火災時に発生する煙または温度を夫々の感知器で感知して、その出力信号によりスプリンクラーヘッドから室内に散水して消火するものである。
【０００３】
そのため、火災感知器の感度によっては室内の温度や煙の濃度が平常値より若干高くなると、未だ火災の発生に至るか否か不明な場合でもスプリンクラーヘッドから散水を始めて消火作用を行うので、場合によっては室内の各種精密機器を水で無駄に傷めてしまうおそれがある。
【０００４】
【解決しようとする発明の課題】
この発明の目的は上記従来の装置のように室内が火災に至るかどうか不明な警戒状態のときには、スプリンクラーヘッドから散水して、室内の各種精密機器を水で傷めないようにすると共に、警戒状態からその後火災の発生に至る可能性を抑制するように処理することである。
【０００５】
他の目的は火災の発生が明らかになったときにはその火種を確実に消火するように処理することである。
【０００６】
【課題を解決するための手段】
この発明の火災処理方法　は各種精密機器を据付けてある室内等の火災警戒区域に予め設置してある火災感知器からの出力信号によって、その火災区域に向けて設置されている散水装置から散水する火災処理方法　に於いて、その火災感知器の出力信号を火災の警戒状態からの発生状態に至る火災の進行程度に応じて少なくとも２段階に判別して散水装置に送り、その散水装置からの散水の粒径を前記火災の進行程度に比例して、フオグ状態の粒径から雨滴状態の粒径に亘る粒径に変化して散水することである。
【０００７】
またこの発明の火災の処理装置は室内の火災発生区域に設置する火災感知器と、散水装置を連動可能に接続した火災処理装置であって、その火災感知器と散水装置との間に、火災発生前の警戒状態からその発生後の状態に亘る火災の進行程度を判別して、それに対応する出力手段を具備した防災制御盤を接続することである。
【０００８】
室内に設置した各種電気機器等を構成する各部品が誘導熱、誘電熱、ジュール熱、又は放電熱等により発熱し、室内の温度が平常状態より若干上昇したり、或はその発熱によって煙等が若干発生したりすると、それらの温度及び煙濃度を火災感知装置で感知して防災制御盤に送り、警戒状態であることを判別して、その出力をフオグ状態の散水を行うための散水装置に送り、該散水装置から散水する水の粒径をフオグ状態の粒径にして散水し、そのフオグを室内に充満して、室内の温度を水の熱容量と、気化熱によて冷却し、火災の発生に至る可能性を抑制する。
【０００９】
フオグ状態の散水を行っても室内の温度又は煙濃度が低下せず徐々に上昇して前記各部品又はそれらの近傍のものに着火したときの温度、又は煙濃度になったときはそれを火災感知器と火災処理制御盤で判別し、そのときの火災進行程度を出力して、フォグ状態の粒径より大粒径の雨滴状態の散水を行うことのできる散水装置に送り、そこから雨滴状態の粒径の水を着火した火種に散水して火災を消火する。
【００１０】
【発明の実施の形態】
この発明の実施例は図１に示す如く、室内の火災警戒区域１に設置する例えば、アナログ式熱感知器やアナログ式煙感知器等の火災感知器２と、防災制御盤３の入力端子３ａを接続し、その防災制御盤３の警戒用出力端子３ｂにポンプ制御盤４を介してポンプ５と接続し、また、そのポンプ５の吸入側に水槽６を吸入管７で連通し、そのポンプ５の吐出側にフオグノズル８を吐出管９で連通する。
【００１１】
また防災制御盤３の警戒用出力端子３ｃにエアコン制御盤１１を介してエアコンプレッサ１２を電気的に接続し、該エアコンプレッサ１２の吸込側を大気中に連通し、吐出側を吐出管１３で前記フオグノズル８に連通する。
【００１２】
防災制御盤３の火災用出力端子３ｄにポンプ起動盤１５を介してスプリンクラポンプ１６を電気的に接続し、そのスプリンクラポンプ１６の吸込側に水槽１７を吸込管１８で連通し、吐出側にフォグノズル８より大粒径で散水するスプリンクラーヘッド１９を吐出管２０で連通する。
【００１３】
室内の火災警戒区域１で各種機械を運転する間に、それらが加熱されて室内の温度又は煙の量が通常の量より徐々に増加して着火状態に進行したかどうか不確定な火災の進行程度を示す量になると、即ち火災警戒状態になるとその量を火災感知器２が感知し、防災制御盤３の入力端子３ａに入力する。
【００１４】
この火災感知器２からの入力量を判別して、警戒用出力端子３ｂ、３ｃから出力し、エアコン制御盤１１を介してエアコンプレッサ１２を駆動し吐出管１３から約３ｋｇ／ｃｍ２　の加圧空気をフオグノズル８に送ると共に、ポンプ制御盤４を経てポンプ５を駆動して水槽６の水を約３ｋｇ／ｃｍ２　に加圧し、吐出管９でフオグノズル８に供給し、そのフオグノズル８から火災警戒区域１に向けてフオグ状態の水を散水し、フオグの熱容量と、気化する際の潜熱によって室内を冷却し、火災進行程度が火災発生状態に進行することを抑制する。
【００１５】
このようにして、室内の温度又は煙濃度が低下すると、火災感知器２がその量を感知し、防災制御盤３の入力端子３ａに入力する。すると、防災制御盤３はその入力量を判別して、警戒用出力端子３ｂ、３ｃから出力し、エアコン制御盤１１、ポンプ制御盤４を介してエアコンプレッサ１２及びポンプ５を停止し、フオグノズル８からのフオグ状態の散水が停止する。
【００１６】
前述のフオグ状態の散水によっても室内の火災進行程度が抑制できないとき、即ち火災進行程度が増加して室内に火災が発生して、火災感知器２から火災制御盤３に入力される温度や煙濃度が増加するときは、その状態を火災制御盤３が判別し、火災用出力端子３ｄから出力し、ポンプ起動盤１５を経てスプリンクラポンプ１６を駆動し、水槽１７中の水を例えば１０ｋｇ／ｃｍ２　程度に加圧してスプリンクラヘッド１９に送り、ここから室内に向けてフォグ状態より大粒径の雨滴状態で散水し、前記火災の火種を消火する。
【００１７】
図２の曲線２１は前述の火災の進行程度、即ち温度又は煙濃度の室内経過時間に関する度合を示している。この曲線２１において、前述の火災進行程度が通常状態Ｐ１　から火災発生が不確定な状態Ｐ２　になった際フオグノズル８からフオグ状態で散水し、更に火災の発生状態Ｐ３　に移行した際、スプリンクラヘッド１９から雨滴状態で散水するものである。なお図中、ｈ１　、ｈ２　及びｈ３　は温度又は煙濃度の目盛であり、目盛ｈ１　とｈ２の間はフオグノズル８から散水しない時の温度、煙濃度目盛を示し、ｈ２とｈ３の間はフォグノズル８からフォグ状態で散水するときの目盛、目盛ｈ３　以上はスプリンクラヘッド１９から雨滴状態で散水する際の温度又は煙濃度目盛を示している。
【００１８】
以上この発明の実施例を図１及び図２で説明したが、本発明はこれらの実施例に限定されるものでなく、上述の発明を部分的に変更したり或は付加して実施することができる。例えば図１に示す実施例のようにフォグノズル８とスプリンクラヘッド１９を互いに別個に形成してなる散水装置１０を構成する代りに、図３に示す実施例のように一個の散水装置１０で構成し、この散水装置１０にポンプ５の吐出管９と、エアコンプレッサ１２の吐出管１３を夫々結合すると共に、前記スプリンクラポンプ１６の吐出管２０を結合し、警戒用出力端子３ｃ、３ｂからの出力により、散水装置１０からフォグ状態で散水したり、或は雨滴状態で散水するように構成することができる。
【００１９】
また図４に示す実施例のようにフオグノズル８とスプリンクラヘッド１９を火災警戒区域１の天井側に設置する代りに図中に示す如くプリント板２１を内蔵するコンピュータ２２の火災警戒区域１の天井側にスプリンクラヘッド１９を設け、また床面側にフオグノズル８を設けることも可能である。なお同図４中のコンピュータ２２の上方に空気ダクト２３を連通し、その中に火災感知器２を設置し、コンピュータ２２の下方にそれを設置する床２５の下面に形成されている下部空気ダクト２４を連通し、空気を矢印Ａ２４、Ａ２２、及びＡ２３の方向に流動することもできる。
【００２０】
以上の実施例では、ポンプ制御盤４（又はポンプ起動盤１５）とポンプ５、１６と水槽６、１７とをそれぞれ２基ずつ備えた場合を示したが、これらをそれぞれ１基ずつとし共通に使用するようにしてもよい。
【００２１】
また、フォグノズル８は圧縮空気を使用する例を示したが、圧縮空気を使用しないフォグノズルを用いてもよい。
【００２２】
また以上の実施例では、散水ノズルはフォグノズル８とスプリンクラーヘッド１９の２種類の場合を示したが、火災の進行程度に比例して散水粒径を大きくしたノズルを多段階に備えるようにしてもよい。これは例えば、アナログ式煙感知器が火災の進行程度に比例した煙の濃度を低濃度、中濃度、高濃度と感知して防災制御盤に入力する。防災制御盤はこの入力量を判別して、煙の濃度が薄い時つまり低濃度のときは、前述と同様な手段を経て小粒径の噴霧を放出するノズルから散水させ、煙の濃度が中濃度の時は中粒径の噴霧を放出するノズルから散水させ、煙の濃度が濃い時つまり高濃度のときは大粒径の水滴を放出するノズルから散水させるという構成にすることができる。
【００２３】
また、上述の実施例では大小の粒径の水を散水する２種類のノズルを使用した場合を示したが、１種類のノズルを用い、ノズル圧を高くして小粒径の散水を、ノズル圧を低くして大粒径の散水をするようにしてもよい。
【００２４】
また、火災感知器２は、アナログ器火災感知器を使用する場合を示したが、火災発報レベルを複数持つ多段階式熱感知器もしくは多段階式煙感知器としてもよく、さらに、異なった火災進行程度のレベルを感知するオン・オフ式煙感知器を複数用いるようにしてもよい。これは例えば、オン・オフ式の高感度煙感知器の感知により前述と同様な手段でフォグノズルからフォグ状態で散水し、オン・オフ式の低感度煙感知器の感知により前述と同様な手段でスプリンクラヘッドから雨滴状態で散水するように構成することなどである。
【００２５】
また、火災感知器は同種のものを用いたが、異種の火災感知器を用いるようにしてもよい。これは例えば、オン・オフ式の煙感知器の感知により前述と同様な手段でフォグノズルからフォグ状態で散水し、オン・オフ式の熱感知器の感知により前述と同様な手段でスプリンクラヘッドから雨滴状態で散水するように構成するなどである。
【００２６】
【発明の効果】
この発明は上述のとおりであるので、室内の温度又は煙濃度が平常値より若干上昇してその後火災状態に進行するか否か不確定なとき、すなわち火災発生のおそれがあるときには散水装置からフオグ状態の散水を行って、火災の進行状態がそれ以上進行しないようにすると共に、そのことによって室内の各種精密機器をスプリンクラーから散水する場合のように水で損傷することがない。
【００２７】
またフオグノズルからフオグ状態で散水しても室内の温度及び煙濃度が平常状態に戻らず、かえってその量が増加したときは火災感知器及び防災制御盤で火災が発生したものと判別して散水装置からフォグ状態より大粒径の雨滴状態の散水を行って室内に発生した火災を消火することができる。
【００２８】
以上要するに本発明によれば、火災の発生の前後の状態に亘って火災の進行程度に比例して、火災の発生の予防作用から消火作用までの適切な火災処理を行うことができるので、スプリンクラーによる過剰な消火活動によって室内の精密機器等を水で傷めたり、或はフオグノズルによる過少な消火活動によって火災に発展することを防止することができる。
【図面の簡単な説明】
【図１】本発明の実施例の配線及び配管の回路図。
【図２】図１の実施例の作用状態を示す線図。
【図３】本発明の他の実施例の配線及び配管の回路図。
【図４】図１の一部分の他の実施例を示す縦断面図。
１　火災警戒区域、　２　火災感知器、　３　防災制御盤、
８　フオグノズル、　１０　散水装置、　１９　スプリンクラヘッド
【図１】
2004089692.tif 000003
【図２】
2004089692.tif 000004
【図３】
2004089692.tif 000005
【図４】
2004089692.tif 000006
【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
室内の火災警戒区域に設置する火災感知器と散水装置を連動可能に接続した火災処理装置において、
散水粒径を大きくしたノズルを多段階に備えたことを特徴とする火災処理装置。
【請求項２】
室内の火災警戒区域に設置する火災感知器と散水装置を連動可能に接続した火災処理装置において、
前記散水装置を、小粒径の噴霧を放出するノズルと、中粒径の噴霧を放出するノズルで構成したことを特徴とする火災処理装置。
【請求項３】
大粒径の水滴を放出するノズルを備えたことを特徴とする請求項２記載の火災処理装置。
【請求項４】
室内の火災警戒区域に設置する火災感知器と散水装置を連動可能に接続した火災処理装置において、
前記散水装置を、フォグ状態で散水するフオグノズルと、該フォグノズルより大粒径で散水するスプリンクラヘッドで構成したことを特徴とする火災処理装置。
【請求項５】
前記散水装置は、前記フォグノズルからフォグ状態の水を散水し、それから前記スプリンクラヘッドにより雨滴状態で散水することを特徴とする請求項４記載の火災処理装置。
【請求項６】
煙の濃度が薄い時は、小粒径の噴霧を放出するノズルから散水させ、煙の濃度が濃い時は、大粒径の水滴を放出するノズルから散水させることを特徴とする請求項４記載の火災処理装置。
【手続補正２】
【補正対象書類名】明細書
【補正対象項目名】０００６
【補正方法】変更
【補正の内容】
【０００６】
【課題を解決するための手段】
本発明は、室内の火災警戒区域に設置する火災感知器と散水装置を連動可能に接続した火災処理装置において、散水粒径を大きくしたノズルを多段階に備えたことを特徴とするものである。


【手続補正３】
【補正対象書類名】明細書
【補正対象項目名】０００７
【補正方法】変更
【補正の内容】
【０００７】
また、室内の火災警戒区域に設置する火災感知器と散水装置を連動可能に接続した火災処理装置において、前記散水装置を、フォグ状態で散水するフオグノズルと、該フォグノズルより大粒径で散水するスプリンクラヘッドで構成したことを特徴とするものである。また煙の濃度が薄い時は、小粒径の噴霧を放出するノズルから散水させ、煙の濃度が濃い時は、大粒径の水滴を放出するノズルから散水させることを特徴とするものである。